(57)【特許請求の範囲】
【請求項１】
下位ネットワークエレメントが属する上位ネットワークエレメントが、同期シーケンス長に応じて所定のサービスのデータパケットを処理し、同じタイムスタンプ情報を有するデータパケット群である複数の同期シーケンスを前記下位ネットワークエレメントに送信する段階と、
前記下位ネットワークエレメントが、前記上位ネットワークエレメントから送信された前記所定のサービスの複数の同期シーケンスを取得する段階と、
前記下位ネットワークエレメントが、前記同期シーケンス長と、無線インターフェースの接続フレーム番号の周期の整数分の１である前記所定のサービスの時分割多重化周期とに基づいて、前記時分割多重化周期と前記同期シーケンス長の公倍数であるスケジューリング送信時間間隔を決定する段階と、
前記下位ネットワークエレメントが、タイムスタンプ情報が現在のスケジューリング時間間隔にある同期シーケンスを、所定のスケジューリング送信時間間隔の利用可能な送信時間内に送信する段階と、
を含むことを特徴とする同期スケジューリング方法。
【請求項２】
前記下位ネットワークエレメントが、前記上位ネットワークエレメントの同期シーケンス長を予め取得する段階をさらに含むことを特徴とする請求項１に記載の同期スケジューリング方法。
【請求項３】
前記下位ネットワークエレメントにより前記上位ネットワークエレメントの同期シーケンス長を予め取得する段階は、
前記下位ネットワークエレメントがシステム配置により前記同期シーケンス長を取得する段階、または
前記上位ネットワークエレメントが前記同期シーケンス長を前記下位ネットワークエレメントに通知する段階、のいずれか
を含むことを特徴とする請求項２に記載の同期スケジューリング方法。
【請求項４】
前記下位ネットワークエレメントにより取得された第１の同期シーケンスに対応するタイムスタンプ情報を、１番目のスケジューリング送信時間間隔の開始時刻として決定する段階をさらに含むことを特徴とする請求項１に記載の同期スケジューリング方法。
【請求項５】
前記所定のスケジューリング送信時間間隔は、前記現在のスケジューリング送信時間間隔および次のスケジューリング送信時間間隔のいずれかを含むことを特徴とする請求項１〜４のいずれかに記載の同期スケジューリング方法。
【請求項６】
前記下位ネットワークエレメントが前記所定のサービスの複数の同期シーケンスを取得した後に、
前記下位ネットワークエレメントが、タイムスタンプ情報が現在のスケジューリング送信時間間隔の同期シーケンス長にある同期シーケンスに含まれる複数のデータパケットに対して、ＲＬＣカスケード接続処理を行う段階をさらに含むことを特徴とする請求項１〜４のいずれかに記載の同期スケジューリング方法。
【請求項７】
前記下位ネットワークエレメントが、各スケジューリング送信時間間隔内に第１の同期シーケンスの１番目のデータパケットを受信した場合、前記所定のサービスのＲＬＣシーケンス番号をリセットする段階をさらに含むことを特徴とする請求項１〜４のいずれかに記載の同期スケジューリング方法。
【請求項８】
前記利用可能な送信時間は、データパケットの無線インターフェースリソースを送信するための期間であることを特徴とする請求項１〜４のいずれかに記載の同期スケジューリング方法。
【請求項９】
前記同期シーケンスのデータパケットには、データパケットのシーケンス番号と累計データ長がさらに付けられていることを特徴とする請求項１〜４のいずれかに記載の同期スケジューリング方法。
【請求項１０】
前記上位ネットワークエレメントが同期シーケンス長に応じて前記所定のサービスのデータパケットを処理する段階は、
前記上位ネットワークエレメントが、前記同期シーケンス長に応じて前記所定のサービスにタイムスタンプ情報を付与することを含むことを特徴とする請求項１〜４のいずれかに記載の同期スケジューリング方法。
【請求項１１】
前記同期シーケンス長が、スケジューリング周期であることを特徴とする請求項１〜４のいずれかに記載の同期スケジューリング方法。
【請求項１２】
下位ネットワークエレメント側に位置する同期スケジューリング装置であって、
前記下位ネットワークエレメントが属する上位ネットワークエレメントであって、同期シーケンス長に応じて所定のサービスのデータパケットを処理し、同じタイムスタンプ情報を有するデータパケット群である複数の同期シーケンスを前記下位ネットワークエレメントに送信する上位ネットワークエレメントからの前記所定のサービスの複数の同期シーケンスを取得する取得モジュールと、
前記同期シーケンス長と、無線インターフェースの接続フレーム番号の周期の整数分の１である前記所定のサービスの時分割多重化周期とに基づいて、前記時分割多重化周期と前記同期シーケンス長の公倍数であるスケジューリング送信時間間隔を決定する決定モジュールと、
タイムスタンプ情報が現在のスケジューリング時間間隔にある同期シーケンスを、前記現在のスケジューリング送信時間間隔および次のスケジューリング送信時間間隔のいずれかを含む所定のスケジューリング送信時間間隔の時分割多重化周期の利用可能な送信時間内に送信する送信モジュールと、
を備えることを特徴とする同期スケジューリング装置。
【発明の詳細な説明】
【技術分野】
【０００１】
本発明は、通信分野に関し、特に同期スケジューリング（ｓｃｈｅｄｕｌｉｎｇ）方法および装置に関する。
【背景技術】
【０００２】
インターネットの発展に伴い、マルチメディアサービスがたくさん生まれてきている。移動通信に対する人々のニーズは、電話やメッセージサービスだけではもう満足できなくなっている。そこで従来、マルチメディアサービス、例えばビデオリクエスト、テレビ放送、テレビ会議、オンライン教育、対話型ゲームなど、複数のユーザが同時に同じデータを受信できるという特徴を有するアプリケーションサービスが導入されている。
【０００３】
モバイルネットワークリソースを活用するために、１つのデータソースが複数のユーザにデータを送信するポイント・ツー・マルチポイント・サービス（Ｐｏｉｎｔ  Ｔｏ  Ｍｕｌｔｉｐｏｉｎｔ  Ｓｅｒｖｉｃｅ）であるマルチメディアブロードキャスト・マルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ、以下は、単に「ＭＢＭＳ」という）が提案されている。このサービスにより、移動コアネットワークとアクセスネットワークとのリソースの共有、特にエアインターフェースリソースの共有を含むネットワークリソースの共有が可能であり、３ＧＰＰにおけるＭＢＭＳにより、低レートのプレーンテキストメッセージ類のマルチキャストやブロードキャストだけでなく、高速マルチメディアサービスのマルチキャストやブロードキャストも実現可能である。
【０００４】
ＭＢＭＳサービスは、ネットワーク全体向けのサービスであるので、同一のＭＢＭＳサービスは、異なる下位ネットワークエレメントノード（Ｎｅｔｗｏｒｋ  Ｅｌｅｍｅｎｔ  Ｎｏｄｅ）上に構築可能である。図１は、従来の複数のネットワークエレメントのＭＢＭＳサービス同期処理方法の流れ図である。この方法は、ステップＳ１０２と、ステップ１０４と、ステップＳ１０６とを含む。
【０００５】
ステップＳ１０２において、上位ネットワークエレメントは、サービスデータを保持し、且つタイムスタンプ情報、データパケットのシーケンス番号情報、累計サービスデータの長さ情報などが付けられているＭＢＭＳサービスデータパケットを、各下位ネットワークエレメントに送信する。上位ネットワークエレメントは、１または複数の連続するサービスデータパケットに同一のタイムスタンプ情報を付け、これら同一のタイムスタンプが付いたデータパケットは、１つのデータバースト（ｄａｔａ  ｂｕｒｓｔ）或いは同期シーケンス（ｓｙｎｃｈｒｏｎｉｚａｔｉｏｎ  ｓｅｑｕｅｎｃｅ）と言われる。特に、上位ネットワークエレメントが各サービスデータパケットを１つのデータバースト又は同期シーケンスとして扱う場合、各データバースト又は同期シーケンスは、１つのサービスデータパケットのみを含む。
【０００６】
ステップＳ１０４において、下位ネットワークエレメントは、同一の同期シーケンスのサービスデータパケットに付けられたサービスデータについてＲＬＣ（Ｒａｄｉｏ  Ｌｉｎｋ  Ｃｏｎｔｒｏｌ、無線リンク制御）プロトコル層のカスケード接続処理を行う必要がある。異なる同期シーケンスのサービスデータパケットは、ＲＬＣカスケード接続処理が行われない。また、１つの同期シーケンスのサービスデータパケットについてＲＬＣカスケード接続処理を行う際に、各同期シーケンスの１番目のデータパケットから、ＲＬＣプロトコル層のＲＬＣシーケンス番号のリセット処理を行う。すなわち、各同期シーケンスの１番目のデータパケットの１番目のＲＬＣ  ＰＤＵ（プロトコルデータユニット）から始めて、ＲＬＣシーケンス番号を、ある所定の又は設定された固定値から始めて順次割り当てる。これは、上位ネットワークエレメントから下位ネットワークエレメントへの送信中に複数の連続するデータパケットの紛失が発生した場合に、下位ネットワークエレメントが、従来の技術により、紛失したデータパケットのＲＬＣ処理時に占有するＲＬＣ  ＰＤＵの長さを判断できず、パケット紛失が発生したネットワークエレメントが、後続するＲＬＣ処理において他のネットワークエレメントとの一致性を保持できない問題があったからである。各同期シーケンスの最初においてＲＬＣシーケンス番号をリセットすることにより、上記の問題を回避することができ、各同期シーケンスの最初において各ネットワークエレメントのＲＬＣシーケンス番号が同じであることが確保される。
【０００７】
ステップＳ１０６において、下位ネットワークエレメントは、同一の同期シーケンスのサービスデータパケットに付いたサービスデータを、当該サービスデータに付与されたタイムスタンプに対応する送信タイミングから開始して無線インターフェースで順次送信する。上位ネットワークエレメントから各下位ネットワークエレメントに送信された上記情報が全く同じであるので、各下位ネットワークエレメントは、全く同一の処理を行うことができる。これにより、各下位ネットワークエレメントのセル間でのＭＢＭＳサービスの同期送信が実現される。
【０００８】
従来、各データパケットのタイムスタンプ情報は、以下の第１の方式と第２の方式とのいずれかにより設定することができる。
第１の方式の場合、上位ネットワークエレメントはサービスデータパケットの受信時刻に基づいてタイムスタンプを付与し、同期シーケンス長（ｓｙｎｃｈｒｏｎｉｚａｔｉｏｎ  ｓｅｑｕｅｎｃｅ  ｌｅｎｇｔｈ）またはスケジューリング周期と言われる所定長の時間間隔内に受信したサービスデータパケットに同一のタイムスタンプを付与する。
そして、第２の方式の場合、上位ネットワークエレメントが下位ネットワークエレメントによるＲＬＣプロトコル層の処理を仮想化し、ＲＬＣ処理の仮想化結果に基づいて、ＲＬＣカスケード接続処理を行うべきサービスデータパケットに同一のタイムスタンプを付与する。
【０００９】
上述した２つの設定方式のいずれの場合も、タイムスタンプ情報は、サービスデータパケットが上位ネットワークエレメントに到達した時間に依存するので、サービスデータパケットのタイムスタンプ間隔は、不確定である。上位ネットワークエレメントが受信したサービスデータストリームが、サービスのＱｏＳに基づいて整形されたデータストリームであり、すなわち、任意の期間にサービスデータストリームの帯域幅がサービスのＱｏＳパラメータにより定義された最大帯域幅以下であると仮定し、上記期間における無線インターフェースのチャネルリソースがＱｏＳパラメータと整合すると仮定する。
【００１０】
１つのＭＢＭＳサービスは、時分割多重化（Ｔｉｍｅ  Ｄｉｖｉｓｉｏｎ  Ｍｕｌｔｉｐｌｅｘ、以下は単に「ＴＤＭ」という）により無線インターフェースで送信することができる。ＴＤＭ配置は、ＴＤＭ周期と、ＴＤＭオフセットと、ＴＤＭ重複長との３つのパラメータを含む。１つのサービスが利用可能なＴＤＭリソースは、（接続フレーム番号ＣＦＮがＴＴＩ（送信時間間隔）を整除し、１０ｍｓの無線フレームの数を含み）剰余演算（Ｍｏｄｕｌｕｓ  Ｏｐｅｒａｔｉｏｎ）（（ＴＤＭ周期）＝ＴＤＭオフセット＋ｉ，ｉ＝０，１，…，（ＴＤＭ周期−１））で表すことができる。具体的には、１つのＭＢＭＳサービスは、その割り当てられたＴＤＭ周期において、「ＴＤＭオフセット」番目のＴＴＩからの、ＴＤＭ重複長の数の連続するＴＴＩ内、即ち、スケジューリング送信時間間隔内に送信される。ここで、ＴＤＭ重複周期は最大で９であり、ＭＢＭＳサービスが利用可能なＴＴＩの長さは、４０又は８０ｍｓである。サービスは、ＴＤＭ周期に配置された利用可能な送信時間のみに無線インターフェースで送信できる。
【００１１】
ＴＤＭ方式によりデータを送信する際、無線インターフェースでのＭＢＭＳサービスの送信タイミングは、連続的ではなく、ＴＤＭの配置の周期性に応じて周期的に到来し、従来のスケジューリング方法では、タイムスタンプが不確定であるため、タイムスタンプ情報は、無線インターフェースが当該ＭＢＭＳサービスを送信可能な開始時間に直接対応できないことがある。すなわち、タイムスタンプと無線インターフェースの送信タイミング（利用可能な送信時間）とが互いに対応することができない。例えば、図２には、同期シーケンス長とＴＤＭ周期とが整合しない場合を示す。
【００１２】
図３は、異なる同期シーケンス長に対応するリソース割当の不一致を示す図である。図３に示すように、ＴＤＭ配置方式において、その無線チャネルリソースが連続しないため、異なる位置の同一期間に、利用可能な無線リソースが同じではない。この場合に、従来のスケジューリングアルゴリズムでは、誤った結果が得られてしまう。従来のスケジューリングアルゴリズムでは、ある期間に送信可能なサービスデータパケットが無線インターフェースで送信できず、オーバーフローが発生する恐れがある。この結果、サービスデータの紛失が発生し、サービス受信品質に大きな影響が与えられる。
【発明の概要】
【発明が解決しようとする課題】
【００１３】
本発明は、従来のスケジューリング方法により、サービスデータの紛失が発生し、サービス受信品質に大きな影響が与えられるという関連技術の問題に鑑みてなされたものであり、改良した同期スケジューリング方式を提供することを主な目的とする。
【課題を解決するための手段】
【００１４】
上述した目的を達成するために、本発明の一態様によれば、同期スケジューリングが提供される。
【００１５】
本発明の一態様に係る同期スケジューリング方法は、
下位ネットワークエレメントが属する上位ネットワークエレメントが、同期シーケンス長に応じて所定のサービスのデータパケットを処理し、同じタイムスタンプ情報を有するデータパケット群である複数の同期シーケンスを前記下位ネットワークエレメントに送信する段階と、前記下位ネットワークエレメントが、前記上位ネットワークエレメントから送信された前記所定のサービスの複数の同期シーケンスを取得する段階と、前記下位ネットワークエレメントが、前記同期シーケンス長と、無線インターフェースの接続フレーム番号の周期の整数分の１である前記所定のサービスの時分割多重化周期とに基づいて、前記時分割多重化周期と前記同期シーケンス長の公倍数であるスケジューリング送信時間間隔を決定する段階と、前記下位ネットワークエレメントが、タイムスタンプ情報が現在のスケジューリング時間間隔にある同期シーケンスを、所定のスケジューリング送信時間間隔の利用可能な送信時間内に送信する段階と、を含む。
【００１６】
本発明の他の態様によれば、下位ネットワークエレメント側に位置する同期スケジューリング装置が提供される。
【００１７】
前記同期スケジューリング装置は、前記下位ネットワークエレメントが属する上位ネットワークエレメントであって、同期シーケンス長に応じて所定のサービスのデータパケットを処理し、同じタイムスタンプ情報を有するデータパケット群である複数の同期シーケンスを下位ネットワークエレメントに送信する上位ネットワークエレメントからの所定のサービスの複数の同期シーケンスを取得する取得モジュールと、同期シーケンス長と、無線インターフェースの接続フレーム番号の周期の整数分の１である所定のサービスの時分割多重化周期とに基づいて、時分割多重化周期と同期シーケンス長の公倍数であるスケジューリング送信時間間隔を決定する決定モジュールと、タイムスタンプ情報が現在のスケジューリング時間間隔にある同期シーケンスを、現在のスケジューリング送信時間間隔および次のスケジューリング送信時間間隔のいずれかを含む所定のスケジューリング送信時間間隔の時分割多重化周期の利用可能な送信時間内に送信する送信モジュールと、を備える。
【発明の効果】
【００１８】
本発明の方法によれば、サービスの同期シーケンス長と時分割多重化周期とに基づいて決定されたスケジューリング送信時間間隔により、サービスデータを処理して、従来技術よりも、ＴＤＭを配置する場合の無線インターフェースリソースの分布の不連続性によるリソース割当の不均一を回避することができ、サービスの同期シーケンスのオーバーフローが防止され、サービスデータの紛失が回避される。
【図面の簡単な説明】
【００１９】
図面は、本発明を更に理解するためのものであり、明細書の一部を構成する。また、本発明の実施例と共に本発明を解釈するもので、本発明を限定するものではない。図面において、
【図１】従来技術に係る複数のネットワークエレメントのＭＢＭＳサービス同期処理方法の流れ図である。
【図２】従来技術に係る同期シーケンス長とＴＤＭ周期とが整合しない一例を示す図である。
【図３】従来技術に係る異なる同期シーケンス長に対応するリソースの割当が一致していない一例を示す図である。
【図４】本発明の方法の実施例に係る同期スケジューリング方法の流れ図である。
【図５】本発明に係る上位ネットワークエレメントおよび下位ネットワークエレメントの論理構成ブロック図である。
【図６】本発明に係るＴＤＭ周期、同期シーケンス長、スケジューリング送信時間間隔の関係を示す第１図である。
【図７】本発明に係るＴＤＭ周期、同期シーケンス長、スケジューリング送信時間間隔の関係を示す第２図である。
【図８】本発明の装置の実施例に係る同期スケジューリング装置の構成ブロック図である。
【発明を実施するための形態】
【００２０】
［機能概略］
上述したように、従来のＴＤＭ配置方式において、無線チャネルリソースが連続しないため、異なる位置の同一期間に利用可能な無線リソースが同一ではない、この場合に、従来のスケジューリングアルゴリズムでは、誤った結果が得られてしまう。本発明は、この問題を解決するために、時分割多重化周期と同期シーケンス長の公倍数であるスケジューリング送信時間間隔を設定し、所定のスケジューリング送信時間間隔内に、受信した同期シーケンスを送信する同期スケジューリング方法を提供するものである。
【００２１】
以下、図面を参照しながら本発明について詳細に説明する。なお、本願の実施例および実施例の特徴同士は、相容れなくないのであれば、組み合わせが可能である。
【００２２】
［方法の実施例］
本発明の実施例によれば、同期スケジューリング方法が提供される。
【００２３】
なお、以下、説明の便宜上、ステップの形式で本発明の方法の実施例の技術的思想を説明する。以下で説明するステップは、例えば１群のコンピュータが実行可能なコマンドのコンピュータシステムにおいて実行することができる。関係図面に論理的順序を示すが、いくつかの場合には、以下で説明するステップは、ここでの順序と異なる順に実行してもよい。
【００２４】
図４は、本発明の実施例に係る同期スケジューリング方法の流れ図である。この方法は、図４に示すように、次のステップＳ４０２〜ステップＳ４０６を含む。
ステップＳ４０２において、下位ネットワークエレメントは、それが属する上位ネットワークエレメントからの所定のサービスの複数の同期シーケンスを取得する。また、その上位ネットワークエレメントは、同期シーケンス長に応じて所定のサービスのデータパケットを処理し、複数の同期シーケンスを下位ネットワークエレメントに送信するものである。そして、その同期シーケンスは、それぞれが同じタイムスタンプ情報を有するデータパケット群である。
ステップＳ４０４において、下位ネットワークエレメントは、同期シーケンス長と、無線インターフェースの接続フレーム番号（ｃｏｎｎｅｃｔｉｏｎ  ｆｒａｍｅ  ｎｕｍｂｅｒ、以下、ＣＦＮという）周期の整数分の１である所定のサービスの時分割多重化周期とに基づいて、時分割多重化周期と同期シーケンス長の公倍数であるスケジューリング送信時間間隔を決定する。
ステップＳ４０６において、下位ネットワークエレメントは、タイムスタンプ情報が現在のスケジューリング送信時間間隔にある同期シーケンスを、所定のスケジューリング送信時間間隔の時分割多重化周期の利用可能な送信時間内に送信する。ここで、所定のスケジューリング送信時間間隔は、現在のスケジューリング送信時間間隔および次のスケジューリング送信時間間隔のいずれかを含み、利用可能な送信時間は、データパケットの無線インターフェースリソースを送信するための期間であり、下位ネットワークエレメントにより取得された第１の同期シーケンスに対応するタイムスタンプ情報は、１番目のスケジューリング送信時間間隔の開始時刻として決定することができる。
【００２５】
また、ステップＳ４０２において、下位ネットワークエレメントは、所定のサービスの複数の同期シーケンスを取得した後、タイムスタンプ情報が現在のスケジューリング送信時間間隔の同期シーケンス長にある同期シーケンスのデータパケットに対してＲＬＣカスケード接続処理を行うことができる。
【００２６】
また、ステップＳ４０４において、下位ネットワークエレメントは、上位ネットワークエレメントの同期シーケンス長を予め取得しておく必要がある。当該同期シーケンス長は、下位ネットワークエレメントがシステム配置により同期シーケンス長を取得すること、又は、上位ネットワークエレメントが同期シーケンス長を下位ネットワークエレメントに通知することにより取得することができる。
【００２７】
また、下位ネットワークエレメントは、各スケジューリング送信時間間隔に第１の同期シーケンスの１番目のデータパケットを受信すると、所定のサービスのＲＬＣシーケンス番号をリセットする必要がある。
【００２８】
ＴＤＭ周期の長さが接続フレーム番号ＣＦＮの周期の整数分の１ではないことによる、本方法の送信スケジューリング周期における無線リソースの分布の不均一を回避するために、下位ネットワークエレメントは、サービスのＴＤＭ周期をＣＦＮの周期の整数分の１に設定する必要がある。これは、従来のＭＢＭＳサービスの時分割多重化周期（ＴＤＭ周期）は、２〜９の値、すなわち２つのＴＴＩ〜９つのＴＴＩの長さである。無線インターフェースの接続フレーム番号ＣＦＮの周期は、２５６個の１０ｍｓとされるからである。ＴＴＩの長さが４つの１０ｍｓである場合に、１つのＣＦＮの周期は、６４個のＴＴＩを含む。
【００２９】
ＴＤＭ周期の数値範囲を考慮すると、ＴＤＭ周期に含まれるＴＴＩの数がこの実施例のＣＦＮの周期の場合、６４の整数分の１ではない場合に、１つのＣＦＮの周期に含まれるＴＤＭ周期の数は、整数とならない。すなわち、１つのＣＦＮの周期のテール（ｔａｉｌ）には一部のＴＤＭ周期しかないことがあり、当該一部の周期の時間長に、サービスが利用可能なリソースは、他の周期の場合と一致しなくなる。本発明の実施例では、上位ネットワークエレメントは、下位ネットワークエレメントにより割り当てられた無線インターフェースリソースが均一に分布すると仮定する。ＴＤＭ周期がＣＦＮの周期長の整数分の１ではない場合には、この仮定が成り立たない。
【００３０】
本発明の実施例の技術的思想によれば、サービスの同期シーケンス長と時分割多重化周期とに基づいて決定されたスケジューリング送信時間間隔によりサービスデータを処理することにより、従来技術よりも、ＴＤＭを配置する場合の無線インターフェースリソースの分布の不連続性によるリソース割当の不均一を回避することができ、サービスの同期シーケンスのオーバーフローが防止され、サービスデータの紛失が回避される。
【００３１】
本発明の実施例をさらに説明する前に、先ず上位ネットワークエレメントおよび下位ネットワークエレメントについて説明する。
【００３２】
上位ネットワークエレメントは、受信したＭＢＭＳサービスデータパケットのスケジューリングを行うものである。具体的には、上位ネットワークエレメントは、各サービスデータパケットにタイムスタンプ情報を付与し、同一タイムスタンプ情報が付与されたサービスデータパケットを１つの同期シーケンス或いは１つの同期シーケンスといい、タイムスタンプ情報が付与されたデータパケットを、当該上位ネットワークエレメントに属する１又は複数の下位ネットワークエレメントに送信する。ここで、１つの同期シーケンスの長さ、即ち、同期シーケンス長は送信時間間隔ＴＴＩの整数倍である。
【００３３】
下位ネットワークエレメントは、上位ネットワークエレメントにより送信される各サービスデータパケットを受信し、各サービスデータパケットのタイムスタンプ情報に基づいて１つの同期シーケンスの送信を開始する開始時間を計算し、ＲＬＣプロトコル層の処理時に、同一の同期シーケンスのデータパケットのＲＬＣカスケード接続処理を行い、ＲＮＬＵＰプロトコル（Ｒａｄｉｏ  Ｎｅｔｗｏｒｋ  Ｌａｙｅｒ  Ｕｓｅｒ  Ｐｌａｎｅ  Ｐｒｏｔｏｃｏｌ）による処理が行われたサービスデータパケットを無線インターフェースで送信する。無線インターフェースでパケット紛失が発生した場合の同期回復を向上させるために、下位ネットワークエレメントは、各同期シーケンスの最初からＲＬＣリセットを行い、ＲＬＣプロトコル層のシーケンスの割当を再開する。
【００３４】
図５は、上位ネットワークエレメントおよび下位ネットワークエレメントの論理構成ブロック図である。図５に示すように、１つの上位ネットワークエレメントは、複数の下位ネットワークエレメントと接続され、シグナリングのやり取りを行う。なお、特に説明すると、上位ネットワークエレメントとこの上位ネットワークエレメントに属する１又は複数の下位ネットワークエレメントとは、物理的機能において同じネットワークエレメントであってもよく、異なるネットワークエレメントであってもよい。ネットワークエレメントは、協同してサービス同期機能を達成するために論理的に上位ネットワークエレメントと下位ネットワークエレメントとに分けられる。すなわち、幾つかの同じ又は異なる物理的ネットワークエレメントは、論理的な機能により１つの上位ネットワークエレメントと幾つかの下位ネットワークエレメントとに分けられ、これらのネットワークエレメントは、互いに協同して、下位ネットワークエレメントのセル間で、複数のセルが組み合わせられるように送信されるＭＢＭＳサービスを実現する。
【００３５】
上位ネットワークエレメントと下位ネットワークエレメントは、以下の組み合わせであってもよいが、これらに限定されない。
第１の組み合わせとしては、汎用地上無線アクセスネットワーク（ＵＴＲＡＮ）システムのＭＢＭＳサービス同期ネットワークにおいて、上位ネットワークエレメントが上位ＲＮＣ、下位ネットワークエレメントが下位ＲＮＣであり、上位ネットワークエレメントと下位ネットワークエレメントとのインターフェースは、Ｉｕｒインターフェースである。当該組み合わせにおいて、上位ネットワークエレメントと下位ネットワークエレメントは、物理的機能の同じネットワークエレメントである。
第２の組み合わせとしては、高速化した（ｅｎｈａｎｃｅｄ）ＨＳＰＡ＋（Ｈｉｇｈ  Ｓｐｅｅｄ  Ｐａｃｋｅｔ  Ａｃｃｅｓｓ  Ｐｌｕｓ）システムのＭＢＭＳサービス同期ネットワークにおいて、上位ネットワークエレメントがＧＧＳＮ、ＳＧＳＮまたはＢＭＳＣ、下位ネットワークエレメントがＲＮＣまたはＮＢ＋である。
第３の組み合わせとしては、ＬＴＥ（Ｌｏｎｇ−Ｔｅｒｍ  Ｅｖｏｌｕｔｉｏｎ）システムのＭＢＭＳサービス同期ネットワークにおいて、上位ネットワークエレメントが、ＭＧＷ（ＭＢＭＳ  ｇａｔｅｗａｙ）またはＭＣＥ（Ｍｕｌｔｉ−ｃｅｌｌ／ｍｕｌｔｉｃａｓｔ  Ｃｏｏｒｄｉｎａｔｉｏｎ  Ｅｎｔｉｔｙ）であり、下位ネットワークエレメントが、Ｅ−ＵＴＲＡＮノードＢ（Ｅ−ＵＴＲＡＮ  ＮｏｄｅＢ）である。
【００３６】
本発明は、上述した技術に基づいて、時分割多重化（ＴＤＭ）方式により無線インターフェースリソースが配置されるサービスの複数のネットワークエレメント間での同期送信を実現する同期方法を提供する。
【００３７】
［実施例］
上位ネットワークエレメントは、サービスデータパケットの受信時刻に基づいてタイムスタンプを付与し、同期シーケンス長（ｓｙｎｃｈｒｏｎｉｚａｔｉｏｎ  ｓｅｑｕｅｎｃｅ  ｌｅｎｇｔｈ）又はスケジューリング周期と言われる所定長の時間間隔内に受信したサービスデータパケットに同一のタイムスタンプを付与することにより、データパケットのスケジューリングを行い、各データパケットのタイムスタンプ情報を設定する。
【００３８】
下位ネットワークエレメントは、上位ネットワークエレメントにより送信された所定のサービスの同期シーケンスについて、当該所定のサービスに配置されたＴＤＭ周期の長さと上位ネットワークエレメントの同期シーケンス長とに基づいて、ＴＤＭ周期の長さと上位ネットワークエレメント同期シーケンス長の公倍数であるスケジューリング送信時間間隔を算出することができる。ここで、下位ネットワークエレメントによる上位ネットワークエレメントのスケジューリング情報の取得方法としては、以下の第１の方式と第２の方式が挙げられる。第１の方式として、下位ネットワークエレメントが、管理配置により、上位ネットワークエレメントが所定のサービスに配置した同期シーケンス長を取得するものである。また、第２の方式として、上位ネットワークエレメントは、シグナリング情報を下位ネットワークエレメントに送信することで、当該所定のサービスの同期シーケンス長を下位ネットワークエレメントに通知するものである。
具体的な実施過程において、下位ネットワークエレメントは、タイムスタンプ情報が１つのスケジューリング送信時間間隔にある１又は複数の同期シーケンスのデータパケットを、次または現在のスケジューリング送信時間間隔の開始時間から、当該次または現在のスケジューリング送信時間間隔に対応する利用可能な無線リソースで順次送信する。
【００３９】
下位ネットワークエレメントは、１つのスケジューリング送信時間間隔に対応する無線リソースでサービスの１番目のデータパケットを送信する際に、当該サービスの次のＲＬＣシーケンス番号をリセットした後、同一スケジューリング送信時間間隔に送信される１または複数の同期シーケンスのデータパケットに対してＲＬＣカスケード接続処理を行う。
【００４０】
また、サービスのＴＤＭ周期をＣＦＮ周期の整数分の１とすることにより、１つのＣＦＮ周期において、当該サービスにより割り当てられたＴＤＭ周期の数が整数となる。
【００４１】
例えば、図６は、本発明に係るＴＤＭ周期、同期シーケンス長、スケジューリング送信時間間隔の関係を示す図である。図６に示すように、サービスは、ＴＤＭ周期が２つのＴＴＩ、同期シーケンス長が３つのＴＴＩである。これらＴＤＭ周期および同期シーケンス長に基づいて、当該サービスのスケジューリング送信時間間隔を２と３の公倍数として算出することができる。ＴＤＭ周期と同期シーケンス長の最小公倍数、すなわち６を取ることが好ましい。この場合、当該サービスのスケジューリング送信時間間隔は、６つのＴＴＩとなる。マッピング過程において、現在の６つのＴＴＩに受信したサービスデータパケットは、現在の６つのＴＴＩのＴＤＭ周期の利用可能な送信時間内に送信してもよく、次の６つのＴＴＩのＴＤＭ周期の利用可能な送信時間内に送信してもよい。
【００４２】
例えば、図７は、本発明に係るＴＤＭ周期、同期シーケンス長、スケジューリング送信時間間隔の関係を示す図である。図７に示すように、サービスは、ＴＤＭ周期が４つのＴＴＩ、同期シーケンス長が２つのＴＴＩである。これらＴＤＭ周期および同期シーケンス長に基づいて、当該サービスのスケジューリング送信時間間隔を４と２の公倍数として算出することができる。ＴＤＭ周期と同期シーケンス長の公倍数、すなわち８を取ることができる。この場合、当該サービスのスケジューリング送信時間間隔は、８つのＴＴＩとなる。マッピング過程において、現在の８つのＴＴＩに受信したサービスデータパケットは、現在の８つのＴＴＩのＴＤＭ周期の利用可能な送信時間内に送信してもよく、次の８つのＴＴＩのＴＤＭ周期の利用可能な送信時間内に送信してもよい。
【００４３】
［装置の実施例］
本発明の実施例によれば、上述した方法の実施例で説明した方法を実現するものが好ましい同期スケジューリング装置が提供される。
【００４４】
図８は、本発明の実施例に係る同期スケジューリング装置の構成ブロック図である。この装置は、下位ネットワークエレメント側に位置し、図８に示すように、取得モジュール１０と、決定モジュール２０と、送信モジュール３０とを備える。以下、各モジュールについて詳細に説明する。
【００４５】
取得モジュール１０は、それが属する上位ネットワークエレメントであって、同期シーケンス長に応じて所定のサービスのデータパケットを処理し、複数の同期シーケンスを下位ネットワークエレメントに送信する上位ネットワークエレメントからの所定のサービスの複数の同期シーケンスを取得するものである。ここで、同期シーケンスは、同じタイムスタンプ情報を有するデータパケット群である。決定モジュール２０は、取得モジュール１０に接続され、同期シーケンス長と、無線インターフェースの接続フレーム番号ＣＦＮの周期の整数分の１である所定のサービスの時分割多重化周期とに基づいて、時分割多重化周期と同期シーケンス長の公倍数であるスケジューリング送信時間間隔を決定するものである。送信モジュール３０は、取得モジュール１０と決定モジュール２０に接続され、タイムスタンプ情報が現在のスケジューリング時間間隔にある同期シーケンスを、現在のスケジューリング送信時間間隔および次のスケジューリング送信時間間隔のいずれかを含む所定のスケジューリング送信時間間隔の時分割多重化周期の利用可能な送信時間内に送信するものである。
【００４６】
本発明の上述した装置によれば、サービスの同期シーケンス長と時分割多重化周期とに基づいて決定されたスケジューリング送信時間間隔によりサービスデータを処理して、それによって、従来技術よりも、ＴＤＭを配置する場合の無線インターフェースリソースの分布の不連続性によるリソース割当の不均一を回避することができ、サービスの同期シーケンスのオーバーフローが防止され、サービスデータの紛失が回避される。
【００４７】
上述したように、本発明の同期スケジューリング方法及び／装置によれば、サービスの同期シーケンス長と時分割多重化周期とに基づいて決定されたスケジューリング送信時間間隔によりサービスデータを処理して、それによって、従来技術よりも、ＴＤＭを配置する場合の無線インターフェースリソースの分布の不連続性によるリソース割当の不均一を回避することができ、サービスの同期シーケンスのオーバーフローにより、上位ネットワークエレメントによりスケジューリングされた同期シーケンスの、対応する無線インターフェース時間におけるリソースが一致しておらず、送信データが紛失する事態が防止される。
【００４８】
なお、上述した本発明の各モジュールまたはステップは、汎用のコンピュータ装置により実現することができ、単一のコンピュータ装置に集中して配置されてもよく、複数のコンピュータ装置からなるネットワークに配置されてもよいことは当業者には容易に理解できるであろう。また、コンピュータ装置が実行可能なプログラムコードにより実現されてもよい。これにより、記憶装置に記憶されてコンピュータ装置により実行されるか、それぞれを各々の集積回路モジュールに作成するか、その中の複数のモジュールまたはステップを単一の集積回路モジュールに作成することにより実現することができる。このように、本発明は、いずれかの所定のハードウェアとソフトウェアの組み合わせに限定されない。
【００４９】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【符号の説明】
【００５０】
１０    取得モジュール
２０    決定モジュール
３０    送信モジュール
【図１】
0005212956.tif 000002
【図２】
0005212956.tif 000003
【図３】
0005212956.tif 000004
【図４】
0005212956.tif 000005
【図５】
0005212956.tif 000006
【図６】
0005212956.tif 000007
【図７】
0005212956.tif 000008
【図８】
0005212956.tif 000009